(57)【要約】【目的】本発明の目的は調査用紙等の紙に記載された選択するデータをマーク等に付し、そのマーク等を付したものを正解とする従前の概念を排し、そのマーク等を付した部分は正常な読み取りが不能であるとするところに、発想の転換と簡便な処理方法を実現する調査票自由作成自動入力システムである。【解決手段】本発明は、調査等を必要とする調査事項等をデータファイル化し、その調査事項等をアプリケーションデータファイルから抽出し、調査事項等のタイトルと抽出する調査事項等対象データを可変データ化し、前記調査事項等の調査項目及びその調査項目等の選択文字群を印刷パターンとして登録する。１調査案件等毎に印刷をする。  調査員等の回答者は選択文字群のうち、該当文字または該当記号に鉛筆等の筆記具で選択文字を汚濁する。汚濁した文字のみが誤読され、この誤読された語句群が調査等によって求める調査結果等で得られるデータとしての選択文字群である。【特許請求の範囲】
【請求項１】
調査、アンケート、投票、確認、試験等の各種データを必要とする調査事項、アンケート事項、投票内容、確認事項、試験事項（以下、調査事項等という）をコンピュータにデータファイル化し、その調査事項等をアプリケーションデータファイルから抽出し、調査事項等のタイトルと抽出する調査事項等対象データを可変データ化し、前記調査事項等の調査項目、アンケート項目、投票内容項目、確認項目、試験項目（以下、調査項目等という）及びその調査項目等の記号等を含む選択文字群を印刷パターンとして登録する。
実際に調査等を実行する場合、調査等の目的別パターンを前記アプリケーションデータファイルから呼び出し、該アプリケーションデータファイルの認識番号を付し、順次アプリケーションデータの該当データとともに、１調査案件等毎に印刷をする。
調査員等の回答者は調査時等に、前記選択文字群のうち、該当文字または該当記号に鉛筆等の筆記具で選択文字を汚濁する。
この調査票等を一括してイメージリーダー等の画像読取装置から読み取りＯＣＲ処理を実行したとき、汚濁した文字のみが誤読される。この誤読された語句群が調査等によって求める調査結果等で得られるデータとしての選択文字群であることを特徴とする調査票自由作成自動入力システム。
【請求項２】
上記筆記具にて汚濁した選択文字に疑義が生じた場合、自動補正手段にて自動補正可能としたことを特徴とする請求項１記載の調査票自由作成自動入力システム。
【請求項３】
調査等によって求められた誤読された語句群は調査結果等のデータとして、データファイルに格納され、目的のアプリケーションシステムに使用することを特徴とする請求項１又は２記載の調査票自由作成自動入力システム。
【請求項４】
調査票等の適所に手書き保存イメージエリアを設け、該手書き情報をイメージ情報として保存することを特徴とする請求項１、２又は３記載の調査票自由作成自動入力システム。
【発明の詳細な説明】
【０００１】
【発明の属する技術分野】
本発明は調査、アンケート、投票、確認、試験等の各種データを必要とする調査事項、アンケート事項、投票内容、確認事項、試験事項（以下、調査事項等という）  について簡便な処理方法により実現可能とした調査票自由作成自動入力システムに関する。さらに、具体的利用分野としては、下記の如くのものがあり、利用分野は無限である。（１）土地、普通建物、区分建物、船舶、工場財団、その他の財産の評価の基礎データの調査、（２）人物調査（不良債権名簿）（３）各種テストの答案（４）進路調査（５）国勢調査（６）選挙の投票用紙（７）部品等消費確認票（在庫管理・発注管理）（８）売上確認票（財務資料として直接利用）（９）消費動向調査等である。
【０００２】
【従来の技術】
従来、アンケート実施システム及び質問登録端末として、アンケートの対象となる対象者の利用に供する対象者端末を備え、与えられた質問に対して前記対象者が回答するシステムであって、前記対象者への質問に関する質問情報を当該質問情報の提供条件に関する条件情報と対応付けて記憶するための質問情報記憶手段を備え、前記対象者に関する対象者情報又は前記条件情報に基づく検索により、前記対象者情報と提供条件が適合する条件情報に対応する質問情報を前記質問情報記憶手段から読み出し、読み出した質問情報を前記対象者端末に対して提供するものである（例えば特許文献１参照。）。
【０００３】
【特許文献１】
特開２００２−２９７８５７号公報（請求項１、図１〜図９）
【０００４】
上記従来のアンケート実施システムは、アンケートの対象となる対象者が自己の携帯端末でインターネットを介して回答するシステムである。
したがって、回答者は必ずインターネットを介して回答しなければならず、紙によるアンケート用紙での回答はできないという不便があった。
【０００５】
また、従来は、格別な印刷物に目的項目を印刷し、適宜なチェックを付しこれを、手作業によりコンピュータに入力する。またはＯＭＲ、ＯＣＲ機能をもって入力処理してきた。
いずれにしても従来のシステムでは準備から、結果を得るプロセスが簡便ではない。
【０００６】
さらにまた、従来は、印刷業者等に依頼し調査項目の選択項目を印刷し、これを媒体として目的を達成していた。実作業は、調査時に適宜なチェックを付しこれを、手作業によりコンピュータに入力する。またはＯＭＲ、ＯＣＲ機能をもって入力する。ミスも多く検出されていた。
本発明は、ミスを逆用し自動補正も可能にするものである。
【０００７】
【発明が解決しようとする課題】
コンピュータ時代の調査は必要不可欠な重要な処理プロセスである。正確迅速な結果が要求され苦痛が伴い避けたい処理のひとつである。
この一番嫌われる作業は、現場調査よりコンピュータデータ入力作業にあると言える。
本発明は、調査用紙等の紙に記載された選択するデータをマーク等に付し、そのマーク等を付したものを正解とする従前の概念を排し、そのマーク等を付した部分は正常な読み取りが不能であるとするところに、発想の転換と簡便な処理方法を実現するところに本システムである調査票自由作成自動入力システムの特徴がある。
【０００８】
本発明では、調査票の印刷は、レーザープリンター等により、低価な普通紙に任意な形式で印刷する。これによってランニング費用の低減を実現する。
本発明に係る調査票は、下記の部分からなる。
（１）  調査票タイトル名、        例「ＸＸ調査票」
（２）  新旧指定                  例「新・旧」
（３）  認識番号              例「不動産物件番号  ９９９９９９  番」
（４）  調査元認識データ          例「所在  水戸市北見町」「地番  １２６番７８」
（５）  調査項目および選択項目    例「保存程度    最良  良  普通  悪  最悪」
（６）  イメージエリア            例  ＸＸＸＸＸＸＸＸＸＸＸＸＸＸＸＸＸＸＸＸ
実調査において、人間の手作業により文字の汚濁を施すのは、新旧指定と選択項目に限られる。
【０００９】
【課題を解決するための手段】
本発明に係る調査票自由作成自動入力システムは、調査、アンケート、投票、確認、試験等の各種データを必要とする調査事項、アンケート事項、投票内容、確認事項、試験事項（以下、調査事項等という）をコンピュータにデータファイル化し、その調査事項等をアプリケーションデータファイルから抽出し、調査事項等のタイトルと抽出する調査事項等対象データを可変データ化し、前記調査事項等の調査項目、アンケート項目、投票内容項目、確認項目、試験項目（以下、調査項目等という）及びその調査項目等の記号等を含む選択文字群を印刷パターンとして登録する。
実際に調査等を実行する場合、調査等の目的別パターンを前記アプリケーションデータファイルから呼び出し、該アプリケーションデータファイルの認識番号を付し、順次アプリケーションデータの該当データとともに、１調査案件等毎に印刷をする。
調査員等の回答者は調査時等に、前記選択文字群のうち、該当文字または該当記号に鉛筆等の筆記具で選択文字を汚濁する。
この調査票等を一括してイメージリーダー等の画像読取装置から読み取りＯＣＲ処理を実行したとき、汚濁した文字のみが誤読される。この誤読された語句群が調査等によって求める調査結果等で得られるデータとしての選択文字群であることを特徴とする。
【００１０】
請求項１記載の調査票自由作成自動入力システムにおいて、上記筆記具にて汚濁した選択文字に疑義が生じた場合、自動補正手段にて自動補正可能としたことを特徴とする。
【００１１】
請求項１又は２記載の調査票自由作成自動入力システムにおいて、調査等によって求められた誤読された語句群は調査結果等のデータとして、データファイルに格納され、目的のアプリケーションシステムに使用することを特徴とする。
【００１２】
請求項１、２又は３記載の調査票自由作成自動入力システムにおいて、調査票等の適所に手書き保存イメージエリアを設け、該手書き情報をイメージ情報として保存することを特徴とする。
【００１３】
調査票の新旧指定と選択項目に鉛筆等により線引き、またチェック等により文字を汚濁し、読み込まれた文字群の誤読によって選択が可能となる。
【００１４】
【発明の実施の形態】
以下、本発明の一実施例を図面により説明する。
本発明でいう調査票には、単に調査票に限定されるものではなく、アンケート用紙、投票用紙、確認事項用紙、試験用紙等の各種データを必要とする調査事項、アンケート事項、投票内容、確認事項、試験事項等が含まれる。
図１は、本発明の自由作成自動入力システムの構成図であり、中央演算装置とファイル装置、メインメモリ制御プログラムおよび入力装置、出力装置、レーザープリンター、イメージリーダーの構成である。
図２は該システムのシステムフローチャート例を示す。
該システムの最大特徴は、選択項目とチェック済選択項目の相違判別が重要機能である。
【００１５】
図３は調査票レイアウトパターン例を示す。
アプリケーション毎に常時利用する調査用パターンの原型例である。
図４は具体的調査票例を示す。
実アプリケーション毎に常時利用する調査用パターンの実用例である。
融資自己査定の不動産調査の土地調査例である。住宅地用、商業地用、工業地用、その他に細分化分割調査も自動的に印刷することも容易である。
図５は調査票具体的記入例を示す。
調査用用紙の記入例である。記入する手段は特定する方法を指定しない。チェックすることが必要であることを意味する。
図６は調査票処理画面を示す。
アプリケーションプログラムの物件データ画面からパターン作成、調査票印刷、調査票読込を内蔵させ自動処理する例を示す。
本画面は土地については、所在・地番・地目・地目、普通建物については家屋番号・種類・構造・屋根・床面積、そして区分建物については一棟の建物、区分した建物について家屋番号・種類・構造・屋根・床面積等を一括して格納管理し登記情報を中心に統括処理する画面である。この不動産情報に関連する情報を、目的別に種々の調査票を用意しメニュー化し必要時に即座に目的とする物件番号付の調査票を印刷する。印刷した調査票に調査員が調査結果を、鉛筆等を用い選択文字群の全部または一部を汚濁する。汚濁を完了した調査票を集積しエメージリーダから画像データを連続入力し、ＯＣＲ処理が施され、物件番号をキーとして判別し、チェックを実施しながら選択文字群を一括判断し物件データ画面上の物件に自動入力する。よって極めて簡便かつ迅速な処理体系が確立されたと言える。
【００１６】
図１に示すファイル装置には、例えば裁判関連データファイル、登記関連データファイル、税金関連データファイル、許認可関連データファイル、資産関連データファイル等の各種アプリケーションファイルや調査項目パターンファイルが格納されている。
図２は本システムのシステムフローチャートで、▲１▼で調査パターン作成を行なう。調査目的別データ入力を行い、画面上に調査項目、及びそれに対応した選択項目を設ける。調査目的別パターンデータファイルを作成する。▲２▼は調査票パターン項目を示し、調査項目欄と選択項目欄が設けられる。調査目的別パターンデータファイルから▲３▼具体的に調査票を印刷する。印刷された調査票に人的作業により調査と調査票の選択項目のチェックを行なう。選択項目のチェックが行なわれた調査票は▲５▼記入済み調査票の自動入力を行なう。調査票の入力に当っては、チェック項目の有無確認、データ調整および決定と調査票チェック情報のファイル作成を行なう。調査票チェック情報ファイルは▲６▼応用が無限である。種種のアプリケーションプログラムから調査票チェック情報を読込み、目的に合致した活用を図ることができる。
【００１７】
さらに具体的に説明すると、
▲１▼  調査票を必用とするアプリケーション毎に調査票パターンを作成する。
パターン名
アプリケーションデータ番号（制御目的；例物件番号等）
摘要アプリケーション
摘要アプリケーションの調査関連ガイドデータ
調査項目
調査項目別選択項目
▲２▼  調査票パターン項目ファイルの調査項目別にポップアップして作成する。
手書きチェックとの操作に威力を発揮する。
調査項目別選択項目
具体的調査票を印刷する。
アプリケーションファイルからガイド用データを読み込み添付し実データとして印刷する。
パターン名
アプリケーションデータ番号（制御目的；例物件番号等）
摘要アプリケーション
摘要アプリケーションの調査関連ガイドデータ
調査項目
調査項目別選択項目
調査員が調査の上、主に現地において調査票に鉛筆等により該当箇所にチェックを記入する。（記入するのは調査項目のうち選択項目に限る。特殊記入項目としては、新規、訂正をチェック、記入がなければデホルトは新規とみなす。）
記入済みの調査票を集積し全てを自動読込する。
新規、訂正を区分。
選択項目を全てＯＣＲ処理する。
調査票パターンファイル内の選択項目と比較チェックし目的とするチェックデータを確保する。
調査票チェック情報ファイルにチェックデータを書き込む。
調査票を利用するアプリケーション用に加工し利用する。
【００１８】
筆記具にて汚濁した選択文字に疑義が生じた場合の自動補正手段としては、１個のみを選択できると指定したとき、誤って２個以上を選択したときはエラー扱いとする。ｎ個を選択できると指定したとき、誤ってｎ個以外の個数を選択したときはエラー扱いとする。複数の文字群の複数文字を汚濁すると指定したときは、通常は複数文字を汚濁する旨、業務取扱い上複数文字を汚濁するに指導するが、上記の汚濁指定文字群の選択個数がオーバーしたとき、１文字のみが汚濁している選択文字群は、誤って汚れが付着したものと解釈し、目的としない汚濁として無視するものとする。結果として、自動補正したと同様の効果が得られる。
【００１９】
【発明の効果】
本発明に係る、調査票自由作成自動入力システムの最大の効果は、多種多量の調査を迅速・正確・簡便に調査実行体制が確立できることにある。
以下、本発明の効果を列記する。
（１）  アプリケーションと連動する膨大な調査も最適な調査票を自由迅速に作成できるので、調査も円滑に完了し、登記データ等、不良債権者データ、住民基本台帳、学籍簿、種種のデータファイルと連動すれば計り知れない威力を発揮する。（２）  コンピュータの取扱いが不得意な高齢者であっても十二分にシステムを活用できる。
（３）  調査票は利用時に印刷するものであり事前に印刷物をリザーブする必要がない。
業務に明るいベテランを調査員に採用しフルに能力を発揮できる。
【００２０】
（５）  コンピュータを利用できない故のリストラを阻止できる。
（６）  普通紙に印刷ができ、特別なＯＭＲ用紙、ＯＣＲ用紙を必要としない。
したがって迅速な調査準備を可能とし、極めて廉価な調査体制を確立できる。
（７）  調査項目漏れも自動チェックされ、ミスが生じない。
（８）  調査票の読込は瞬時である。
（９）  複雑な調査も目的別に細項目の指定が可能になり作業が苦にならない。
調査票現物は、しばらく保存し後日の調査ミスの検証にも役立つ。
【００２１】
（１１）  人件費が削減できる。処理時間が短縮できる。
（１２）  各操作において、ほとんどのレスポンスタイムが短縮し、ストレスが減少する。
（１３）  撮影方向表示機能付きデジタルカメラ等と連動させればより高度な処理体制の確立が出来る。
（１４）  不動産システム、裁判システム、各種顧客システム等の精度が向上する。
入力項目が標準化され、慣れない者でも書類が迅速に作成できる。
【００２２】
（１６）  調査票はコンピュータに不慣れな者でも、ワンタッチで利用できる。
（１７）  デジタル電子地図システムと連動させ万能機能の一部とすることもできる。
（１８）  本システムは、官公庁においても幅広く応用し直接利用できる。
【図面の簡単な説明】
【図１】本発明調査票自由作成自動入力システムの構成図である。
【図２】該システムのシステムフローチャー例である。
【図３】調査票レイアウトパターン例を示す。
【図４】具体的調査票例を示す。
【図５】調査票具体的記入例を示す。
【図６】調査票処理画面である。
【図１】
2004252783.tif 000002
【図２】
2004252783.tif 000003
【図３】
2004252783.tif 000004
【図４】
2004252783.tif 000005
【図５】
2004252783.tif 000006
【図６】
2004252783.tif 000007